(57)【要約】      （修正有）【課題】タッチスクリーンシステムの加速度に基づいてタッチスクリーンシステムを管理する方法及び装置を提供する。【解決手段】タッチスクリーンシステム２１４内に配置される加速度検出器２１９によって、タッチスクリーンシステムの加速度２１７が検出される。前記加速度がタッチスクリーンシステムの使い勝手を低減する場合に、入力マネージャー２２２によって動作が開始される。【選択図】図２
2018060553.tif 000002
【特許請求の範囲】
【請求項１】
タッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）の使い勝手（２１８）を低減させる場合、動作（２２４）を開始するように構成される入力マネージャー（２２２）を備える、装置。
【請求項２】
前記加速度検出器（２１９）は、前記タッチスクリーンシステム（２１４）の前記加速度（２１７）についてのデータ（２２０）を発生させるように構成され、かつ前記入力マネージャー（２２２）は、前記加速度検出器（２１９）からデータ（２２０）を受信して、かつ前記データ（２２０）を使用して、何時、前記タッチスクリーンシステム（２１４）の前記加速度（２１７）が前記タッチスクリーンシステム（２１４）の前記使い勝手（２１８）を低減させるかを判定するように構成される、請求項１に記載の装置。
【請求項３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１に記載の装置。
【請求項４】
前記選択された閾値（２３０）は、前記タッチスクリーンシステム（２１４）上に表示される、グラフィカルユーザインターフェース（３１６）に基づく、請求項３に記載の装置。
【請求項５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１に記載の装置。
【請求項６】
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、請求項１に記載の装置。
【請求項７】
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の任意の数の制御装置（３１８）のサイズを元々のサイズまで戻すことのうちの少なくとも１つから選択される、請求項６に記載の装置。
【請求項８】
前記入力マネージャー（２２２）は、前記タッチスクリーンシステム（２１４）の低減された使い勝手のレベルを判定し、かつ前記タッチスクリーンシステム（２１４）の低減された使い勝手の前記レベルに基づいて、前記動作（２２４）を開始するように構成される、請求項１に記載の装置。
【請求項９】
前記加速度（２１７）は、振動、乱流、波、風、及びプラットフォームの作動のうちの少なくとも１つによってもたらされる、請求項１に記載の装置。
【請求項１０】
前記タッチスクリーンシステム（２１４）は、タブレットコンピュータ、飛行管理システム、ナビゲーションコンピュータ、オートパイロット、携帯電話、ラップトップコンピュータ、及び持ち運び可能な表示装置のうちの１つから選択される、請求項１に記載の装置。
【請求項１１】
タッチスクリーンシステム（２１４）を管理するための方法であって、前記方法は：
前記タッチスクリーンシステム（２１４）の加速度（２１７）について加速度検出器（２１９）によって発生されたデータ（２２０）を受信させることであって、前記加速度検出器（２１９）は前記タッチスクリーンシステム（２１４）の範囲内に配置される、受信させること；及び
前記タッチスクリーンシステム（２１４）の前記加速度（２１７）が前記タッチスクリーンシステム（２１４）の使い勝手（２１８）を低減させる場合、入力マネージャー（２２２）によって、動作（２２４）を開始させることを含む、方法。
【請求項１２】
何時、前記タッチスクリーンシステム（２１４）の前記加速度（２１７）が、前記タッチスクリーンシステム（２１４）の前記使い勝手（２１８）を低減させるかを、前記データ（２２０）を使用して、前記入力マネージャー（２２２）によって、判定させることをさらに含む、請求項１１に記載の方法。
【請求項１３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１１に記載の方法。
【請求項１４】
前記選択された閾値（２３０）は、前記タッチスクリーンシステム（２１４）上に表示される、グラフィカルユーザインターフェース（３１６）に基づく、請求項１３に記載の方法。
【請求項１５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１１に記載の方法。
【請求項１６】
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、請求項１１に記載の方法。
【請求項１７】
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の制御装置のサイズを元々のサイズまで戻すことのうちの少なくとも１つから選択される、請求項１６に記載の方法。
【請求項１８】
前記加速度検出器（２１９）は、加速度計システムである、請求項１１に記載の方法。
【請求項１９】
前記加速度（２１７）は、ビークル、波を伴う水の中で移動する船舶、風を伴う水の中で移動する船舶、乱流の中の航空機（１００）、粗い表面上で移動する地上のビークルの作動、宇宙船上のスラスターの作動、航空機の着陸（１００）、航空機（１００）の離陸によってもたらされる振動である、請求項１１に記載の方法。
【請求項２０】
航空機（１００）内のネットワーク（２０８）；
前記航空機（１００）内のデータ処理システム（２０６）であって、前記データ処理システム（２０６）は前記ネットワーク（２０８）に接続され、かつ前記航空機（１００）の作動を制御するように構成される、データ処理システム（２０６）；
前記航空機（１００）の前記作動を制御するために、前記データ処理システム（２０６）に対するユーザ入力（３１０）を受信するように構成される、任意の数の制御装置（３１８）を有するグラフィカルユーザインターフェース（３１６）を表示するように構成されるタッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）上の前記グラフィカルユーザインターフェース（３１６）の中で表示される前記任意の数の制御装置（３１８）の使い勝手（２１８）を低減させる場合、動作（２２４）を開始するように構成される入力マネージャー（２２２）を備える、航空機制御システム。
【発明の詳細な説明】
【技術分野】
【０００１】
本開示は、概して、データ処理システムに関し、特に、タッチスクリーンシステムを含むデータ処理システムに関する。さらにとりわけ、本開示は、タッチスクリーンシステムの加速度に基づいて、タッチスクリーンシステムを管理するための方法及び装置に関する。
【背景技術】
【０００２】
航空機は、航空機の作動を制御するために使用される、多くの種々のタイプのシステムを有し得る。これらのシステムは、油圧システム、機械システム、及び電気システムを含み得る。
【０００３】
例えば、電気システムは、通信、ナビゲーション、飛行制御、衝突回避のためのシステム、及び他のタイプのシステムを含み得る。航空機の中の種々のシステムのうちの多くは、表示部、及び種々のシステムを制御するための物理的制御装置を有し得る。例えば、これらの制御装置は、スイッチ、ダイアル、及び他の適切なタイプの制御装置を含み得る。
【０００４】
種々の電気システムのためのコックピットにおいて必要とされる空間の量を低減させる労力において、種々のシステムが組み合わされて単一のシステムとなり得、又は表示部を共有する。例えば、いくつかの飛行計器及び制御装置が組み合わされて、単一の表示部及びその表示部のための制御システムとなり得る。このやり方においては、航空機のコックピットの中のこれらのシステムのために、より少ない空間が必要とされ得る。
【０００５】
例えば、航空機は、高度、ピッチ、ロールなどの情報、及び航空機についての他の情報が表示され得る、１次飛行表示部を含み得る。別の実施例として、多くの構成可能なやり方において情報を表示するために使用され得る、複数のボタンを有する航空機の中には、多機能表示部が提示され得る。この多機能表示部は、ナビゲーション経路、移動マップ、気象レーダー情報、航空機の情報、及び他の適切なタイプの情報などの情報を表示するために使用され得る。
【０００６】
これらの及び他のタイプの情報は、航空機のオペレーターが、ユーザ入力装置を介して、表示部上のグラフィカルユーザインターフェースと情報をやりとりする、表示部上に表示され得る。例えば、このユーザ入力装置は、キーボード、マウス、ジョイスティック、タッチスクリーン、及び他の適切なタイプの装置を含み得る。電子飛行バッグ（ＥＦＢ）及びタブレットコンピュータなどの他の装置は、タッチスクリーン表示部をより頻繁に使用している。多くの場合において、これらの表示部は、ユーザ入力に対して１次インターフェースとなり得る。
【０００７】
特定の作動状態の間に、キー、キーボード、マウス、又は他の入力装置などのユーザ入力装置を操作するオペレーターの能力は、望ましいものよりも難しくなり得る。例えば、離陸及び着陸などの航空機の特定の進行の間に使用するいくつかの入力装置は、望ましいものよりも難しくなり得る。別の実施例において、気象などの他の状態はまた、より難しい入力装置を使用し得る。それ故、他の潜在的な問題と同様に、上述された問題のうちの少なくともいくつかを考慮に入れる方法及び装置を有することが望まれる。
【発明の概要】
【０００８】
１つの例示的な実施形態において、装置は、タッチスクリーンシステム、タッチスクリーンシステム内に配置される加速度検出器、及び加速度検出器と通信する入力マネージャーを備える。加速度検出器は、タッチスクリーンシステムの加速度を検出するように構成される。入力マネージャーは、タッチスクリーンシステムの加速度がタッチスクリーンシステムの使い勝手を低減する場合に、動作を開始するように構成される。
【０００９】
別の例示的な実施形態において、タッチスクリーンシステムを管理するための方法が提示される。タッチスクリーンシステムの加速度について、加速度検出器によって発生されるデータが受信される。加速度検出器は、タッチスクリーンシステム内に配置される。タッチスクリーンシステムの加速度がタッチスクリーンシステムの使い勝手を低減する場合に、入力マネージャーによって動作が開始される。
【００１０】
別の例示的な実施形態において、航空機の制御システムは、航空機内のネットワーク、航空機内のデータ処理システム、タッチスクリーンシステム、加速度検出器、及び入力マネージャーを備える。データ処理システムは、ネットワークに接続され、かつ航空機の作動を制御するように構成される。タッチスクリーンシステムは、航空機の作動を制御するために、データ処理システムのためのユーザ入力を受信するように構成される、任意の数の制御装置を有するグラフィカルユーザインターフェースを表示するように構成される。加速度検出器は、タッチスクリーンシステムの範囲内に配置される。加速度検出器は、タッチスクリーンシステムの加速度を検出するように構成される。入力マネージャーは、加速度検出器と通信する。入力マネージャーは、タッチスクリーンシステムの加速度が、タッチスクリーンシステム上のグラフィカルユーザインターフェースにおいて表示される任意の数の制御装置の使い勝手を低減させる場合、動作を開始するように構成される。
【００１１】
特徴及び機能は、本開示の様々な実施形態において独立して取得されることができ、又はさらなる詳細が以下の説明及び図面に関して見られることができるさらに他の実施形態の中において組み合わされることが可能である。
【００１２】
例示的な実施形態の特徴と考えられる新規な特性は、添付の特許請求の範囲において説明される。しかしながら、例示的な実施形態と、好ましい使用モード、さらにはその目的と特徴は、添付図面を参照しながら本開示の例示的な実施形態の以下の詳細な説明を読むことによって最もよく理解されるであろう。
【図面の簡単な説明】
【００１３】
【図１】図１は、例示的な実施形態による航空機の図である。
【図２】図２は、例示的な実施形態による、情報処理環境のブロック図である。
【図３】図３は、例示的な実施形態による、タッチスクリーンシステムのブロック図である。
【図４】図４は、例示的な実施形態による、グラフィカルユーザインターフェースの図である。
【図５】図５は、例示的な実施形態による、制御装置における変化を伴うグラフィカルユーザインターフェースの別の図である。
【図６】図６は、例示的な実施形態による、無効にされたグラフィカルユーザインターフェースの図である。
【図７】図７は、例示的な実施形態による、タッチスクリーンシステムを管理するためのプロセスの流れ図である。
【図８】図８は、例示的な実施形態による、データ処理システムのブロック図である。
【発明を実施するための形態】
【００１４】
例示的な実施形態は、１以上の種々の検討事項を理解し、かつ考慮に入れている。例えば、例示的な実施形態は、タッチスクリーンシステムが、種々の機能のためのコックピットにおいて必要とされる空間の量をさらに低減し得ることを、理解しかつ考慮に入れている。タッチスクリーンシステムを伴って、様々な機能を実行するために入力を発生させるように、ユーザが指、スタイラス、又は他の適切な入力装置を用いて、スクリーンにタッチすることによって入力が発生され得る。このやり方において、キー、キーボード、マウス、及び他の入力装置などのユーザ入力装置に割り当てられる空間が低減される。
【００１５】
例示的な実施形態はまた、タッチスクリーンシステムの使い勝手が、それらのシステムの加速度によって影響され得ることを、理解しかつ考慮に入れている。さらに、例示的な実施形態は、タッチスクリーンシステムが航空機の範囲内で持ち運びでき得ることを、理解しかつ考慮に入れている。例えば、タッチスクリーンシステムは、タブレットコンピュータ、タッチスクリーンを有する持ち運び可能な表示装置、及び他の持ち運び可能なフォルムの形をとり得る。
【００１６】
タッチスクリーンシステムはまた、電子フライトバッグ（ＥＦＢ）の形をとり得る。電子フライトバッグは、航空機搭乗員が、より少ない紙の資料を用いてより簡単かつより効率的に作業を実行する助けとなる、電子情報管理装置である。電子フライトバッグは、航空機の作動マニュアル、航空機搭乗員の作動マニュアル、ナビゲーションチャート、及び他の適切なタイプの情報を含み得る。ナビゲーションチャートに関して、電子フライトバッグは、移動マップを提供し得る。付加的に、電子フライトバッグはまた、性能離陸計算又は他の適切な機能などの機能を提供し得る。
【００１７】
例示的な実施形態はまた、これらのタイプのタッチスクリーンシステム、及び他のタイプのタッチスクリーンシステムが、生じ得るシステムの加速度に応じて使い勝手を低減させたことを、理解しかつ考慮している。例えば、航空機の作動の間に、タッチスクリーンシステムの加速度は、オペレーターが望ましい入力を発生させる能力を低減させ得る。
【００１８】
例えば、オペレーターは、タッチスクリーンシステムを用いて、生じる加速度の量に応じて、望ましいキーを押すことができないだろう。タッチスクリーンシステム上の加速度はまた、オペレーターがタッチスクリーンシステム上の望ましくないキーを押すことをもたらし得る。
【００１９】
例示的な実施形態はまた、タッチスクリーンシステムを使用する能力に影響を与え得るいくつかの加速度の源は、航空機によって遭遇され得る乱流を含むことを、理解しかつ考慮に入れている。他の加速度の源は、離陸、着陸、及び飛行の他のフェーズの間に生じる振動からもたらされ得る。
【００２０】
それ故、例示的な実施形態は、タッチスクリーンシステムを管理するための方法及び装置を提供する。１つの例示的な実施形態において、装置は、タッチスクリーンシステム、加速度検出器、及び入力マネージャーを備える。加速度検出器は、タッチスクリーンシステムの範囲内に配置される。加速度検出器は、タッチスクリーンシステムの加速度を検出するように構成される。入力マネージャーは、加速度検出器と通信し、かつタッチスクリーンシステムの加速度がタッチスクリーンシステムの使い勝手を低減する場合に、動作を開始するように構成される。
【００２１】
ここで図面を参照すると、特に図１では、例示的な実施形態による航空機の図が描かれている。この例示的な実施例において、航空機１００は、機体１０６に取り付けられた翼１０２及び翼１０４を有する。航空機１００は、翼１０２に取り付けられたエンジン１０８と、翼１０４に取り付けられたエンジン１１０とを含む。
【００２２】
機体１０６は、機首部分１１２及び尾部１１４を有する。水平安定板１１６、水平安定板１１８、及び垂直安定板１２０は、機体１０６の尾部１１４に取り付けられる。
【００２３】
これらの例示的な実施例において、航空機１００はまた、航空機１００の内装の範囲内にタッチスクリーンシステム１２２を含み得る。タッチスクリーンシステム１２２は、これらの例示的な実施例において、航空機１００のオペレーターによって使用され得る装置である。
【００２４】
タッチスクリーンシステム１２２が例示的な実施形態にしたがって実装される場合、タッチスクリーンシステム１２２の使い勝手を低減するタッチスクリーンシステム１２２の加速度は、タッチスクリーンシステム１２２によって検出され得る。タッチスクリーンシステム１２２の使い勝手を低減するタッチスクリーンシステムの加速度を検出したことに反応して、タッチスクリーンシステム１２２に関して動作が開始され得る。
【００２５】
今度は図２を参照すると、例示的な実施形態による、情報処理環境のブロック図が描かれている。この描かれている実施例において、情報処理環境２００は、ネットワークデータ処理システム２０２を備え得る。さらに、ネットワークデータ処理システム２０２は、プラットフォーム２０４内に配置され得る。図１おける航空機１００は、プラットフォーム２０４に対する１つの実装の実施例である。
【００２６】
これらの例示的な実施例において、ネットワークデータ処理システム２０２は、データ処理システム２０６及びネットワーク２０８を含み得る。データ処理システム２０６は、プラットフォーム２０４の作動を制御するように構成され得る。さらに、データ処理システム２０６は、プラットフォーム２０４を監視するように構成され得る。
【００２７】
描かれているように、データ処理システム２０６は、ネットワーク２０８に接続され得る。ネットワーク２０８に対するデータ処理システム２０６の接続は、有線接続、光ファイバー接続、無線接続、及びネットワーク２０８、データ処理システム２０６、又はそれら２つの組み合わせに対して通信を提供し得る、他の任意の適切なタイプの接続を介し得る。
【００２８】
本明細書において使用されるように、第１の構成要素が第２の構成要素「に接続される」ことは、第１の構成要素が第２の構成要素に直接的に又は間接的に接続され得ることを意味する。言い換えると、付加的な構成要素が、第１の構成要素と第２の構成要素との間に存在し得る。１以上の付加的な構成要素が２つの構成要素の間に存在する場合、第１の構成要素は、第２の構成要素に対して間接的に接続されていると考えられる。第１の構成要素が第２の構成要素に対して直接的に接続されている場合、付加的な構成要素は、２つの構成要素の間に存在しない。
【００２９】
これらの例示的な実施例において、データ処理システム２０６は様々な形をとり得る。例えば、データ処理システム２０６内のデータ処理システム２１０は、コンピュータ、ライン交換可能ユニット、飛行管理システム、ナビゲーションコンピュータ、オートパイロット、携帯電話、タブレットコンピュータ、又は情報を処理し得る何らかの他の適切なタイプの装置であり得る。典型的には、データ処理システム２１０は、情報２１２の処理を可能にする他の構成要素と同様に、プロセッサを含み得る。
【００３０】
これらの例示的な実施例において、タッチスクリーンシステム２１４がまた、プラットフォーム２０４の中に存在し得る。タッチスクリーンシステム２１４は、プラットフォーム２０４の作動を制御するために、データ処理システム２０６に対するユーザ入力を受信するように構成され得る。
【００３１】
タッチスクリーンシステム２１４は、固定されたタッチスクリーンシステム２１５又は持ち運び可能なタッチスクリーンシステム２１６であり得る。タッチスクリーンシステム２１４が、固定されたタッチスクリーンシステム２１５の形をとる場合、タッチスクリーンシステム２１４は、プラットフォーム２０４に接続され得る。例えば、タッチスクリーンシステム２１４は、データ処理システム２１０の中に実装される入力及び出力システムの部分であり得る。
【００３２】
タッチスクリーンシステム２１４が、持ち運び可能なタッチスクリーンシステム２１６の形をとる場合、タッチスクリーンシステム２１４は、オペレーターによって移動可能であり得る。例えば、持ち運び可能なタッチスクリーンシステム２１６は、データ処理システム２１０と通信し得るが、データ処理システム２１０と物理的に接続されない。例えば、持ち運び可能なタッチスクリーンシステム２１６は、タブレットコンピュータ、携帯電話、ラップトップコンピュータ、電子フライトバッグ、持ち運び可能な表示装置、及びタッチスクリーンシステム２１４が実装され得る何らかの他の適切なタイプの持ち運び可能な装置のうちの１つから選択され得る。
【００３３】
持ち運び可能な装置はまた、ハンドヘルドであり得る。１つの例示的な実施例において、タッチスクリーンシステム２１４は、タブレットコンピュータの形をとり、そのタブレットコンピュータはｉＰａｄであり得る。ｉＰａｄは、アップル社から購入可能である。別の例示的な実施例において、タッチスクリーンシステム２１４は、電子フライトバッグであり得る。
【００３４】
描かれているように、タッチスクリーンシステム２１４は、タッチスクリーンシステム２１４の使い勝手２１８を低減する、タッチスクリーンシステム２１４の加速度２１７を検出するように構成される。タッチスクリーンシステム２１４の使い勝手２１８は、情報２１２が望ましいやり方でタッチスクリーンシステム２１４を使用して入力又は操作されることができない場合、低減されたものと考えられ得る。
【００３５】
これらの例示的な実施例において、使い勝手２１８は、タッチスクリーンシステム２１４に対する加速度２１７の結果として、オペレーターからのユーザ入力がエラーの増加をもたらす場合、低減されたものと考えられ得る。これらの例示的な実施例において、加速度２１７は、タッチスクリーンシステム２１４に対する望ましくない動作をもたらし得る。特に、タッチスクリーンシステム２１４の加速度２１７は、大きさ及び方向を有し得る。一定の期間の間に、加速度２１７は、種々の大きさ、種々の方向、又は種々の大きさ及び種々の方向の両方を有し得る。
【００３６】
これらの例示的な実施例において、加速度２１７は、振動、乱流、波、風、及びプラットフォーム２０４の作動のうちの少なくとも１つによってもたらされ得る。本明細書の中において使用されるように、「少なくとも１つ」というフレーズは、アイテムのリストとともに使用される場合、リストされたアイテムのうちの１以上の種々の組み合わせが使用され、かつリストの中の各々のアイテムのうちの１つだけが必要とされる、ということを意味する。例えば、「アイテムＡ、アイテムＢ、又はアイテムＣのうちの少なくとも１つ」は、非限定的に、アイテムＡ、又はアイテムＡ及びアイテムＢを含み得る。この例はまた、アイテムＡ、アイテムＢ、及びアイテムＣ、又はアイテムＢ及びアイテムＣを含み得る。
【００３７】
例えば、タッチスクリーンシステム２１４の加速度２１７は、プラットフォーム２０４がビークル、波を伴う水の中で移動する船舶、風を伴う水の中で移動する船舶、乱流の中の航空機、粗い表面上で移動する地上のビークルである場合、プラットフォーム２０４の作動からもたらされ得、宇宙船上のスラスターの作動、航空機の着陸、航空機の離陸、及び加速度２１７の他の源からもたらされ得る。
【００３８】
描かれているように、タッチスクリーンシステム２１４の範囲内の加速度検出器２１９は、タッチスクリーンシステム２１４の加速度２１７を検出するように構成される。加速度検出器２１９は、様々な装置を使用して実装され得る。例えば、加速度検出器２１９は、加速度計システムを使用して実装され得る。加速度計システムは、１以上の加速度計を含み得る。
【００３９】
加速度検出器２１９は、タッチスクリーンシステム２１４の加速度２１７の検出に基づいて、データ２２０を発生させるように構成される。例えば、データ２２０は、加速度の強度、変動運動の周波数、及び他の適切なタイプのデータを含み得るが、それらに限定されるものではない。強度は、重力加速度において測定される加速度値であり得る。
【００４０】
これらの例示的な実施例において、入力マネージャー２２２は、データ２２０を受信するように構成される。入力マネージャー２２２は、ハードウェア、ソフトウェア、又はその２つの組み合わせを使用して実装され得る。ソフトウェアが使用される場合、入力マネージャー２２２によって実行される作動は、プロセッサユニット上で実行されるように構成されたプログラムコード内に実装されることができる。ハードウェアが採用される場合、ハードウェアは、入力マネージャー２２２内で作動を実行するために作動する回路を含むことができる。
【００４１】
これらの例示的な実施例において、ハードウェアは、回路システム、集積回路、特定用途向け集積回路（ＡＳＩＣ）、プログラマブル論理デバイス、または任意の数の作動を実行するよう構成された他の適切なタイプのハードウェアの形をとることができる。プログラム可能論理デバイスに関して、デバイスは任意の数の作動を実行するように構成される。デバイスは、任意の数の作動を実行するように恒久的に構成されることも、後で再構成されることもできる。例えば、プログラム可能論理デバイスの例として、プログラム可能論理アレイ、プログラム可能アレイ論理、フィールドプログラム可能論理アレイ、フィールドプログラム可能ゲートアレイ、及び他の適切なハードウェアデバイスが挙げられる。加えて、これらのプロセスは無機的な構成要素と統合された有機的な構成要素内で実装され得、及び／又はこれらのプロセスは、人間以外の有機的な構成要素で全体的に構成されてよい。たとえば、これらのプロセスは有機半導体の回路として実装可能である。
【００４２】
例示的な実施例において、入力マネージャー２２２は、任意の数の種々の位置に実装され得る。例えば、入力マネージャー２２２は、タッチスクリーンシステム２１４、ネットワークデータ処理システム２０２、データ処理システム２１０のうちの少なくとも１つを用いて、かつ何らかの他の適切な位置において実装され得る。
【００４３】
入力マネージャー２２２は、加速度検出器２１９から受信したデータ２２０を使用して、何時タッチスクリーンシステム２１４の加速度２１７が、タッチスクリーンシステム２１４の使い勝手２１８を低減するかを判定する。何時、加速度２１７がタッチスクリーンシステム２１４の使い勝手を低減すると考えられるかの判定は、タッチスクリーンシステム２１４の加速度２１７が、選択された閾値２３０よりも大きいか否かの判定によって行われる。これらの例示的な実施例において、選択された閾値２３０は、例えば、メートル／秒２乗で測定された加速度値であり得る。
【００４４】
種々の計量が、選択された閾値２３０に対する比較のために、入力マネージャー２２２によって監視され得る。例えば、入力マネージャー２２２は、変動からの振動の継続時間、振動の強度、振動の周波数、強度における変化、周波数における変化、振動によるイベントの分布の観察された確率の形における分散、及び他の適切な計量のうちの少なくとも１つを監視し得る。これらの種々の計量は、その計量に対して選択された閾値２３０と比較され得る。付加的に、選択された閾値２３０はまた、プラットフォーム２０４が航空機１００の形をとる場合、飛行のフェーズに基づいて選択され得る。結果として、選択された閾値２３０は、興味の対象である各々の計量に対して選択され得、かつ動作２２４が開始されるべきか否かを判定するために使用され得る。
【００４５】
さらに、選択された閾値２３０は、知覚された強度、周波数、乱流イベントの継続時間、及びシステムの使い勝手に対する影響における実証研究に基づき得る。これらの許容範囲は、振動をもたらすイベントに対する標準偏差に基づき、かつ振動が生じ得る３軸のうちの各々に対して適用され得る。このやり方において、監視されている計量及び飛行のフェーズなどの他の要因に基づいて、監視の間に選択された閾値２３０を変化させる能力を用いて、動的な監視が生じ得る。
【００４６】
タッチスクリーンシステム２１４の使い勝手２１８が低減されるように、タッチスクリーンシステム２１４の加速度２１７が検出される場合、入力マネージャー２２２は動作２２４を開始する。動作２２４は、タッチスクリーンシステム２１４に関して開始され得る。動作２２４は、タッチスクリーンシステム２１４の機能を無効にすること、警告を発生させること、音声入力を有効にすること、タッチスクリーンシステム２１４に対して行われる入力の確認をリクエストすること、及び他の適切なタイプの動作のうちの少なくとも１つを含み得る。動作２２４は、これらの例示的な実施例において、タッチスクリーンシステム２１４内への情報の望ましくない入力を低減させるように構成される、任意の動作であり得る。
【００４７】
付加的に、入力マネージャー２２２は、加速度検出器２１９によって発生されるタッチスクリーンシステム２１４の加速度２１７についてのデータ２２０を、受信し続けることができる。データ２２０を使用して、入力マネージャー２２２は、加速度２１７がもはやタッチスクリーンシステム２１４の使い勝手２１８を低減させないか否かを判定し得る。この判定は、加速度２１７を選択された閾値２３０と比較することによって行われ得る。いくつかの例示的な実施例において、加速度２１７は、選択された閾値２３０よりもむしろ別の選択された閾値２３２と比較され得る。言い換えると、何時タッチスクリーンシステム２１４の使い勝手２１８がもはや低減されないかを判定するために使用される閾値は、何時タッチスクリーンシステム２１４の使い勝手２１８が低減されるかを判定するために使用される閾値とは異なり得る。
【００４８】
これらの例示的な実施例において、動作２２４は第１の動作２３４であり得る。タッチスクリーンシステム２１４の使い勝手２１８がもはや低減されないと、入力マネージャー２２２が判定する場合、入力マネージャー２２２は、第２の動作２３６を開始し得る。第２の動作２３６は、これらの例示的な実施例において動作２２４を逆にし得る。例えば、第２の動作２３６は、タッチスクリーンシステム２１４を有効にすること、及びタッチスクリーンシステム２１４に対して行われた入力の確認のリクエストを無効にすることのうちの少なくとも１つを含み得る。
【００４９】
さらに、いくつかの例示的な実施例において、使い勝手２１８は、低減された使い勝手２４０のレベルを有し得る。入力マネージャー２２２が、タッチスクリーンシステム２１４の使い勝手２１８における低減を検出する時に、使い勝手２１８におけるこの低減は、低減された使い勝手２４０のレベルの範囲内のレベルとして識別され得る。
【００５０】
言い換えると、入力マネージャー２２２は、タッチスクリーンシステム２１４のための低減された使い勝手２４０のレベルにおける低減された使い勝手のレベルを判定するように構成される。付加的に、入力マネージャー２２２は、タッチスクリーンシステム２１４に対して識別された低減された使い勝手２４０のレベルにおける低減された使い勝手のレベルに基づいて、動作２２４を開始するように構成される。
【００５１】
異なるレベルの低減された使い勝手が低減された使い勝手２４０のレベルにおいて識別される各々の時に、動作２２４が開始され得る。言い換えると、タッチスクリーンシステム２１４の使い勝手２１８における低減が識別される時に、付加的な動作が開始され得る。例えば、低減された使い勝手２４０のレベルにおける１つのレベルは、警告を発生させる形をとる動作２２４をもたらし得る。低減された使い勝手２４０のレベルにおける、低減された使い勝手のより大きいレベルは、タッチスクリーンシステム２１４への入力の確認をリクエストすることをもたらし得る。低減された使い勝手２４０のレベルにおける、低減された使い勝手のさらにより大きいレベルは、タッチスクリーンシステム２１４を無効にすることをもたらし得る。
【００５２】
今度は図３を参照すると、例示的な実施形態による、タッチスクリーンシステムのブロック図が描かれている。この描かれている実施例において、任意の数の種々の構成要素が、タッチスクリーンシステム２１４に対して図示されている。描かれているように、タッチスクリーンシステム２１４は、構造体３００、タッチスクリーン３０２、及び加速度検出器２１９を備える。
【００５３】
これらの例示的な実施例において、構造体３００は様々な形をとり得る。例えば、構造体３００は、ハウジング、フレーム、パネル、又は何らかの他の適切なタイプの構造体であり得る。
【００５４】
タッチスクリーン３０２は、構造体３００と関連する。一構成要素が別の構成要素と「関連」している場合、その関連は、描かれている実施例における物理的な関連である。例えば、タッチスクリーン３０２などの第１の構成要素は、構造体３００などの第２の構成要素と関連していると考えられ、その関連は、第１の構成要素が第２の構成要素に対して、固定され、接着され、設置され、溶接され、締め付けられ、及び／又は何らかの他の適切なやり方で接続されることによるものである。第１の構成要素はまた、第３の構成要素を使用して第２の構成要素に接続され得る。第１の構成要素はまた、第２の構成要素の部品及び／又は拡張部分として形成されることによって、第２の構成要素と関連していると考えられる。
【００５５】
タッチスクリーン３０２は、物理的装置であり、かつ表示部３０６及び入力システム３０８を含む。これらの例示的な実施例において、タッチスクリーン３０２は、入力システム３０８を使用して、表示部３０６の範囲内のタッチの存在及び位置を検出するようにまた構成される、電子表示部である。
【００５６】
表示部３０６は、任意の数の種々のタイプの表示部装置を使用して実装され得る。例えば、表示部３０６は、液晶表示部、発光ダイオード表示部、又は他の適切なタイプの表示部装置であり得る。
【００５７】
入力システム３０８は、ユーザ入力３１０がオペレーター３１４よるタッチ３１２に反応して発生され得るように、表示部３０６と関連するように配置されるように構成される。これらの例示的な実施例において、ユーザ入力３１０は、例えば航空機１００であり得るプラットフォーム２０４の作動を制御するために、入力システム３０８に対して行われ得る。
【００５８】
これらの例示的な実施例において、オペレーター３１４は人間のオペレーターである。タッチ３１２は、オペレーター３１４が、指を用いて表示部３０６上の入力システム３０８にタッチすることによって発生され得る。他の例示的な実施例において、タッチ３１２は、オペレーター３１４が、スタイラス又は他の装置を操作して、表示部３０６上の入力システム３０８をタッチすることによって発生され得る。
【００５９】
これらの例示的な実施例において、グラフィカルユーザインターフェース３１６は、タッチスクリーン３０２上の表示部３０６上に表示され得る。グラフィカルユーザインターフェース３１６は、プログラムに対するインターフェースであり得る。例えば、プログラムは、ナビゲーションシステム、オートパイロット、環境制御システム、インフライト娯楽システム、気象情報システム、及び図２におけるネットワークデータ処理システム２０２内の他の適切なタイプのシステム内のプログラムであり得る。
【００６０】
これらの例示的な実施例において、任意の数の制御装置３１８は、グラフィカルユーザインターフェース３１６上で表示され得る。任意の数の制御装置３１８は、情報を入力し、情報を操作し、又は情報における他の作動を実行するために、ユーザ入力を発生させるために使用され得る任意の数のグラフィカル制御装置である。タッチスクリーンシステム２１４内のユーザ入力３１０は、航空機１００の作動を制御するために、グラフィカルユーザインターフェース３１６の中に表示される任意の数の制御装置３１８を操作することになっている。
【００６１】
本明細書でアイテムに言及して「任意の数の」という場合は、１以上のアイテムを意味する。例えば、任意の数の制御装置３１８は１以上の制御装置である。
【００６２】
任意の数の制御装置３１８は、様々な形をとり得る。例えば、任意の数の制御装置３１８は、ボタン、キー、スライダー、ダイアル、チェックボックス、キーボード、及び他の適切なタイプの制御装置のうちの少なくとも１つであり得る。これらの例示的な実施例において、加速度検出器２１９は、タッチスクリーン及び構造体３００のうちの少なくとも１つと関連し得る。
【００６３】
描かれているように、何時タッチスクリーンシステム２１４が使い勝手を低減させたかを判定するために、図２における入力マネージャー２２２によって使用される選択された閾値２３０は、グラフィカルユーザインターフェース３１６に基づいて選択され得る。言い換えると、グラフィカルユーザインターフェース３１６が、別のグラフィカルユーザインターフェースに変わる、又は変形された場合、選択された閾値２３０もまた変化し得る。この変化は、任意の数の制御装置３１８の形状及びサイズと同様に、グラフィカルユーザインターフェース３１６内に存在する任意の数の制御装置３１８を考慮する。任意の数の制御装置３１８が変化すると、グラフィカルユーザインターフェース３１６は、選択された閾値２３０に対する異なる値の使用をもたらし得るやり方において、変化すると考えられる。
【００６４】
これらの例示的な実施例において、グラフィカルユーザインターフェース３１６に関する図２の動作２２４は、グラフィカルユーザインターフェース３１６に対する状態３２０を変化させることを含み得る。グラフィカルユーザインターフェース３１６に対する状態３２０を変化させることは、グラフィカルユーザインターフェース３１６を無効にすること、タッチスクリーン３０２上に表示されたグラフィカルユーザインターフェース３１６の機能性を低減させること、任意の数の制御装置３１８の一部分を無効にすること、任意の数の制御装置３１８の少なくとも一部分のサイズを変化させること、任意の数の制御装置３１８の一部分に対する機能性を変化させること、及びグラフィカルユーザインターフェース３１６に対する状態３２０に対する他の適切な変化を含み得る。描かれているように、任意の数の制御装置３１８の一部分は、任意の数の制御装置３１８のうちのいくつか又は全てであり得る。グラフィカルユーザインターフェース３１６に関する図２における第２の動作２３６は、グラフィカルユーザインターフェース３１６の機能性を元々のレベルまで増加させること、グラフィカルユーザインターフェース３１６内の任意の数の制御装置３１８のサイズを元々のサイズに戻すこと、及び他の適切な動作のうちの少なくとも１つを含み得る。
【００６５】
加速度検出器２１９は、加速度検出器２１９がタッチスクリーンシステム２１４内のタッチスクリーン３０２の図２における加速度２７０を検出するようなやり方で、タッチスクリーン３０２及び構造体３００のうちの少なくとも１つに接続され得る。タッチスクリーンシステム２１４の範囲内に加速検出器２１９を含むことによって、加速度２１７の検出は、実際、図２におけるプラットフォーム２０４内に存在し得る他の構成要素よりもむしろ、タッチスクリーン３０２に対するものである。
【００６６】
言い換えると、加速検出器２１９は、プラットフォーム２０４内の他の構成要素又は構造体に対するよりもむしろ、タッチスクリーンシステム２１４内のタッチスクリーン３０２に対する図２における加速度２１７を検出する。このタイプの検出は、タッチスクリーンシステム２１４が、図２のプラットフォーム２０４内の別の構造体又はシステムに接続されていない場合、タッチスクリーン３０２の加速度２１７を検出することにおいて有用であり得る。言い換えると、加速度検出器２１９は、タッチスクリーン３０２に接続されていないかもしれない他の構成要素よりもむしろ、タッチスクリーン３０２の加速度２１７を検出するように構成され得る。このやり方において、加速度検出器２１９によって発生される図２におけるデータ２２０は、何時タッチスクリーンシステム２１４内のタッチスクリーン３０２の使い勝手２１８が低減されるかを判定することにおける使用に対して、タッチスクリーン３０２の加速度をより正確に反映し得る。
【００６７】
いくつかの例示的な実施例において、加速度検出器２１９は、構造体３００の範囲内において配置され得る。例えば、タッチスクリーンシステム２１４が、例えば、非限定的に、アイパッドなどのタブレットコンピュータの形をとる場合、加速度検出器２１９は、ハウジングの形をとり得る構造体３００の範囲内に配置される。別の実施例において、タッチスクリーンシステム２１４が電子フライトバッグの形をとる場合、加速度検出器２１９はまた、電子フライトバッグのためのハウジングの範囲内に配置される。このやり方において、加速度検出器２１９によって検出される加速度は、航空機などのプラットフォーム内の他の構成要素又は構造体よりもむしろ、タブレットコンピュータ又は電子フライトバッグの加速度である。
【００６８】
情報処理環境２００並びに図２及び図３の種々の構成要素の図は、例示的な実施形態が実装され得るやり方に対する、物理的又は構造的限定を企図するものではない。図示されているものに加えて又は代えて、他の構成要素が使用され得る。いくつかの構成要素は不要になることがある。また、いくつかの機能的な構成要素を図解するためにブロックが提示されている。例示的な実施形態において実施される場合、これらのブロックの１以上を、異なるブロックに統合、分割、又は統合かつ分割することができる。
【００６９】
例えば、データ処理システム２１０は、ネットワーク２０８に接続されず、かつネットワークデータ処理システム２０２内のデータ処理システム２０６内の他のデータ処理システムと相互作用しない、個別の構成要素であり得る。別の例示的な実施例において、タッチスクリーンシステム２１４はまた、プロセッサユニットを含み得、かつ情報２１２を処理するように構成され得る。タッチスクリーンシステム２１４がプロセッサユニットを含む場合、タッチスクリーンシステム２１４は、データ処理システムであり得、かつ入力システムを有する単なる表示部ではない。
【００７０】
図４から図６は、タッチスクリーンシステムの加速度がタッチスクリーンシステムの使い勝手を低減する場合、その上で動作がとられ得るグラフィカルユーザインターフェースの図である。先ず図４を参照すると、グラフィカルユーザインターフェースの図は、例示的な実施形態にしたがって描かれている。この描かれている実施例において、グラフィカルユーザインターフェース４００は、図３においてブロックの形で示されている、グラフィカルユーザインターフェース３１６に対する一実施態様の実施例である。
【００７１】
グラフィカルユーザインターフェース４００は、図２におけるタッチスクリーンシステム２１４の使い勝手２１８を低減させる加速度２１７が、タッチスクリーンシステム２１４上で検出される場合、その上で動作がとられ得るグラフィカルユーザインターフェースの実施例である。特に、タッチスクリーンシステム上の加速度は、オペレーター３１４が図３のユーザ入力をグラフィカルユーザインターフェース４００内へ入力する能力を低減させることによって、タッチスクリーンシステム２１４の使い勝手２１８を低減させる。
【００７２】
この例示的な実施例において、グラフィカルユーザインターフェース４００は、任意の数の制御装置４０４を有するマップ４０２を表示する。任意の数の制御装置４０４は、グラフィカルユーザインターフェース４００の中で表示される任意の数のグラフィカルな制御装置である。この実施例において、任意の数の制御装置４０４は、ボタン４０５の形をとる。描かれているように、任意の数の制御装置４０４は、制御装置４０６、制御装置４０８、制御装置４１０、及び制御装置４１２を含む。
【００７３】
描かれているように、制御装置４０６は、「消去」ボタン、制御装置４０８は、「全消去」ボタン、制御装置４１０は、「強調」ボタン、及び制御装置４１２は、「メニュー」ボタンである。制御装置４０６は、フィールド４１４内の入力を消去し得、又はマップ４０２の中で生じた最後の動作を消去し得る。制御装置４０８は、マップ４０２に対して行われた入力を全消去し得る。制御装置４１０は、マップ４０２の部分を強調し得る。制御装置４１２は、マップ４０２上の他の機能又は制御装置を伴うメニューを表示し得る。
【００７４】
ここで図５を参照すると、例示的な実施形態による、制御装置における変化を伴うグラフィカルユーザインターフェースの図が描かれている。この例示的な実施例において、任意の数の制御装置４０４は、図４におけるグラフィカルユーザインターフェース４００内に存在する任意の数の制御装置４０４のうちの一部分のみを含むように変化された。
【００７５】
この例示的な実施例において、任意の数の制御装置４０４は、制御装置５００及び制御装置５０２を含む。制御装置５００は、「強調」ボタンであり、かつ制御装置５０２は、「メニュー」ボタンである。消去及び全消去のための制御装置は、グラフィカルユーザインターフェース４００の中において取り除かれた。消去及び全消去のための制御装置は、グラフィカルユーザインターフェース４００を含む図２におけるタッチスクリーンシステム２１４の加速度２１７のために、グラフィカルユーザインターフェース４００内において省略された。これらの制御装置は、グラフィカルユーザインターフェース４００からの情報の意図しない消去又は全消去を妨げるために除去される。
【００７６】
描かれているように、制御装置５００及び制御装置５０２は、グラフィカルユーザインターフェース４００を用いてサイズが増加された。強調するための制御装置５００及びメニューを表示するための制御装置５０２のこの変化は、加速度がタッチスクリーンシステム２１４内に存在するとしても、これらの制御装置が選択され得る可能性を増加させるために生じる。言い換えると、グラフィカルユーザインターフェース４００における変化は、グラフィカルユーザインターフェース４００が表示される、タッチスクリーンシステム２１４の使い勝手を増加させるために実行される。
【００７７】
今度は図６を参照すると、例示的な実施形態による、無効にされたグラフィカルユーザインターフェースの図が描かれている。この例示的な実施例において、グラフィカルユーザインターフェース４００は、図２のタッチスクリーンシステム２１４の使い勝手２１８を低減させる加速度の観点から、無効にされる。この例示的な実施例において、警告６００は、グラフィカルユーザインターフェース４００が無効にされたことを示すために表示される。この例示的な実施例において、警告６００は、グラフィカルユーザインターフェース４００内のポップアップウィンドウとして表示される。
【００７８】
警告６００は、グラフィカルユーザインターフェース４００が現在使用されることができないことを、図３のオペレーター３１４に表示するために、「高い乱流による無効」と述べている。特に、グラフィカルユーザインターフェース４００は、ユーザが制御装置４０４を操作する能力を無効にすることによって、無効にされ得る。言い換えると、制御装置４０４は無効にされている。いくつかの例示的な実施例において、ユーザは、制御装置４０４の無効化をオーバーライドする選択肢が与えられ得る。
【００７９】
図４から図６におけるグラフィカルユーザインターフェース４００の図は、動作がグラフィカルユーザインターフェース上で取られ得るやり方を限定することを意味しない。これらの図は、限定的な実施例というよりもむしろ例示的な実施例であることのみを企図している。例えば、他の例示的な実施例において、グラフィカルユーザインターフェース４００は、任意の数の制御装置４０４のうちの１以上の選択の確認をリクエストし得る。さらに他の例示的な実施例において、ボタン４０５以外の他のタイプの制御装置が存在し得る。例えば、ボタン４０５に加えて又は代えて使用され得る他のタイプの制御装置は、スライダー、ダイアル、及び他の適切なタイプの制御装置を含み得る。別の例示的な実施例において、ユーザ入力は、グラフィカルユーザインターフェース４００上の任意の数の制御装置４０４に加えて又は代えて、音声コマンドを使用して受信され得る。これらの音声コマンドは、ズーム機能、スイッチ適用、入力コマンド、及び他の適切な機能などの機能を実行するために使用され得る。
【００８０】
今度は図７を参照すると、例示的な実施形態による、タッチスクリーンシステムを管理するためのプロセスの流れ図が描かれている。図７において示されるプロセスは、図２における情報処理環境２００内で実装され得る。特に、プロセスは、図２におけるタッチスクリーンシステム２１４を管理するために実装され得る。さらに、プロセスは、図２における入力マネージャー２２２の範囲内に実装され得る。
【００８１】
プロセスは、タッチスクリーンシステムの加速度について加速度検出器によって発生されたデータを受信することによって、開始される（作動７００）。この例示的な実施例において、加速度検出器は、タッチスクリーンシステムの範囲内に配置される。
【００８２】
データを使用して、タッチスクリーンシステムの加速度がタッチスクリーンシステムの使い勝手を低減させるか否か関して判定がなされる。作動７０２において、タッチスクリーンシステムの低減された使い勝手のレベルが、識別され得る。
【００８３】
加速度がタッチスクリーンシステムの使い勝手を低減させる場合、タッチスクリーンシステムに関して動作が開始される（作動７０４）。作動７０４において、選択される動作は、タッチスクリーンシステムに対して識別された低減された使い勝手のレベルに基づき得る。作動７０４において、動作は、タッチスクリーンシステムを、タッチスクリーンシステムが作動する通常のモードから代替的なモードへ設定する。
【００８４】
プロセスは、タッチスクリーンシステムの加速度について加速度検出器によって発生された付加的なデータを受信する（作動７０６）。タッチスクリーンシステムの加速がもはやタッチスクリーンシステムの使い勝手を低減しないか否かに関して判定がなされる（作動７０８）。タッチスクリーンシステムの加速が、もはやタッチスクリーンの使い勝手を低減させない場合、第２の動作が開始され（作動７１０）、プロセスはその後終了する。
【００８５】
作動７０２を再び参照すると、タッチスクリーンシステムの加速度がタッチスクリーンシステムの使い勝手を低減させない場合、上述のように、プロセスは作動７００へ戻る。作動７０８に戻って参照すると、タッチスクリーンシステムの加速度が未だにタッチスクリーンシステムの使い勝手を低減させる場合、上述のように、プロセスは作動７０６へ戻る。
【００８６】
図示した種々の実施形態における流れ図及びブロック図は、例示的な実施形態の中の、装置及び方法のうちのいくつかの可能な実装の構造、機能、及び作動を示している。これに関し、流れ図又はブロック図の中の各ブロックは、１つのモジュール、セグメント、機能及び／又は作動若しくはステップの一部分を表わすことができる。例えば、１以上のブロックは、ハードウェア内のプログラムコードとして、又はプログラムコードとハードウェアの組合せとして実装可能である。ハードウェア内に実装した場合、ハードウェアは、例えば、流れ図又はブロック図の中の１以上の作動を実行するように製造又は構成された集積回路の形態をとり得る。
【００８７】
例示的な実施形態のいくつかの代替的な実施態様において、ブロックの中に記載された機能又は複数の機能は、図面に記載された順序と関係なく生じ得る。例えば、いくつかの場合において、連続して示されている２つのブロックは、関係する機能性に応じて、実質的に同時に実行されることができ、又は時々ブロックは逆の順序で実行され得る。また、他のブロックは、流れ図又はブロック図の中で描かれているブロックに加えて追加されることができる。
【００８８】
図７におけるプロセスは、通常のモードと代替的なモードとの間の変化を可能にする作動を含み得る。作動のモードは、例示的な実施例において、オペレーターによって変化されることができる。
【００８９】
今度は図８を参照すると、例示的な実施形態による、データ処理システムのブロック図が描かれている。データ処理システム８００は、図２の情報処理環境２００内に、データ処理システム２０６、データ処理システム２１０、タッチスクリーンシステム２１４、及び他の適切な装置を実装するために使用され得る。
【００９０】
この例示的な実施例において、データ処理システム８００は、コミュニケーションフレームワーク８０２を含み、それは、プロセッサユニット８０４、メモリ８０６、永続記憶装置８０８、通信ユニット８１０、入力／出力ユニット８１２、及び表示部８１４の間の通信を提供する。この実施例において、コミュニケーションフレームワークは、バスシステムの形をとり得る。
【００９１】
プロセッサユニット８０４は、メモリ８０６内にロードされ得るソフトウェアに対する指示命令を実行するために役立つ。プロセッサユニット８０４は、特定の実施態様に応じて、任意の数のプロセッサ、マルチプロセッサコア、又は他の何らかのタイプのプロセッサとしてもよい。
【００９２】
メモリ８０６及び永続記憶装置８０８は、記憶装置８１６の例である。記憶装置は、例えば、非限定的に、一時的及び／又は恒久的に、データ、機能形式のプログラムコード、及び／又は他の適切な情報などの情報を記憶できる任意のハードウェア部分である。記憶装置８１６はまた、これらの例示的な実施例において、コンピュータ可読記憶装置として言及され得る。これらの実施例において、メモリ８０６は、例えば、ランダムアクセスメモリ、又は任意の他の適切な揮発性若しくは不揮発性の記憶装置であり得る。永続記憶装置８０８は、特定の実装に応じて様々な形をとることができる。
【００９３】
例えば、永続記憶装置８０８は、１以上の構成要素又は装置を含み得る。例えば、永続記憶装置８０８は、ハードドライブ、フラッシュメモリ、書換え可能な光ディスク、書換え可能な磁気テープ、又は上述の何らかの組み合わせであり得る。永続記憶装置８０８によって使用される媒体はまた、取り外し可能である。例えば、取り外し可能なハードドライブは、永続記憶装置８０８のために使用され得る。
【００９４】
これらの例示的な実施例において、通信ユニット８１０は、他のデータ処理システム又は装置との通信を提供する。これらの例示的な実施例において、通信ユニット８１０は、ネットワークインターフェースカードである。
【００９５】
入力／出力ユニット８１２は、データ処理システム８００と接続され得る他の装置とのデータの入力及び出力を可能にする。例えば、入力／出力ユニット８１２は、キーボード、マウス、及び／又は何らかの他の適切な入力装置を介して、ユーザ入力に対する接続を提供し得る。さらに、入力／出力ユニット８１２は、出力をプリンターに送ることができる。表示部８１４は、ユーザに情報を表示するためのメカニズムを提供する。
【００９６】
オペレーティングシステムに対する指示命令、アプリケーション、及び／又はプログラムは、記憶装置８１６内に配置され得、それらは、コミュニケーションフレームワーク８０２を介して、プロセッサユニット８０４との通信を行う。種々の実施形態のプロセスは、コンピュータ実施可能指示命令を使用して、プロセッサユニット８０４によって実行され得、それはメモリ８０６などのメモリ内に配置され得る。
【００９７】
これらの指示命令は、プロセッサユニット８０４内のプロセッサによって読まれかつ実行されることができる、プログラムコード、コンピュータ使用可能プログラムコード、又はコンピュータ可読プログラムコードとして言及される。種々の実施形態の中のプログラムコードは、メモリ８０６又は永続記憶装置８０８などの種々の物理的又はコンピュータ可読記憶媒体で具現化され得る。
【００９８】
プログラムコード８１８は、選択的に取り外し可能なコンピュータ可読媒体８２０の機能形式の中に配置され、かつプロセッサユニット８０４によって実行されるためにデータ処理システム８００へロードされるか又は移送され得る。プログラムコード８１８及びコンピュータ可読媒体８２０は、これらの例示的な実施例において、コンピュータプログラム製品８２２を形成する。一実施例において、コンピュータ可読媒体８２０は、コンピュータ可読記憶媒体８２４又はコンピュータ可読信号媒体８２６であり得る。
【００９９】
これらの例示的な実施例において、コンピュータ可読記憶媒体８２４は、プログラムコード８１８を伝播し又は送信する媒体というよりはむしろ、プログラムコード８１８を記憶するために使用される物理的又は触知可能な記憶装置である。
【０１００】
代替的に、プログラムコード８１８は、コンピュータ可読信号媒体８２６を使用して、データ処理システム８００へ移送され得る。例えば、コンピュータ可読信号媒体８２６は、プログラムコード８１８を含む伝播されたデータ信号であり得る。例えば、コンピュータ可読信号媒体８２６は、電磁気信号、光信号、及び／又は任意の他の適切なタイプの信号であり得る。これらの信号は、無線通信リンク、光ファイバーケーブル、同軸ケーブル、ワイヤー、及び／又は任意の他の適切なタイプの通信リンクなどの、通信リンクにわたり送信され得る。
【０１０１】
データ処理システム８００に対して示された種々の構成要素は、種々の実施形態が実装され得るやり方に対してアーキテクチャルな制限を提供することを企図していない。種々の例示的な実施形態は、データ処理システム８００に対して示されたものに加えて及び／又はそれに代えて、構成要素を含むデータ処理システム内に実装され得る。図８において示される他の構成要素は、示されている例示的な実施例から変化されることができる。種々の実施形態が、プログラムコード８１８を実行することができる任意のハードウェア装置又はシステムを使用して実装され得る。
【０１０２】
それ故、１以上の例示的な実施形態は、タッチスクリーンシステムを管理するための方法及び装置を提供する。図２における入力マネージャー２２２などの入力マネージャーを伴って、タッチスクリーンシステムの作動は、タッチスクリーンシステム内への情報の望ましくない入力を低減させるために管理され得る。これらの例示的な実施例において、タッチスクリーンシステムの加速度の検出は、プラットフォームの別の場所に配置され得る装置よりもむしろ、タッチスクリーンシステムと関連する装置によって行われる。このやり方において、タッチスクリーンシステムが、表示部、タブレットＰＣ、携帯電話、又は何らかの他の持ち運び可能な装置である場合、タッチスクリーンシステムの使い勝手を低減させるタッチスクリーンシステムの加速度は、タッチスクリーンシステム内への望ましくない入力を避けるように管理され得る。このやり方において、１以上の例示的な実施形態は、ネットワークデータ処理システム、又はプラットフォーム内のデータ処理システム内への情報の入力において、より高い精度を提供し得る。このやり方において、プラットフォームのより信頼可能な使用が、より少ないエラー又は望ましくない結果を伴って生じ得る。
【０１０３】
さらなる例示的な実施形態が、航空機１００とは異なる他のタイプのプラットフォーム内でのタッチスクリーンシステムの使用に適用され得る。例えば、プラットフォームは、限定しないが、移動式プラットフォーム、固定式プラットフォーム、陸上構造物、水中構造物、及び宇宙構造物であってもよい。より具体的には、プラットフォームは、水上艦、戦車、人員運搬車、列車、宇宙船、宇宙ステーション、衛星、潜水艦、自動車、発電所、橋、ダム、家、製造施設、建造物、及びそれらのプラットフォーム内でタッチスクリーンシステムの使い勝手を低減させるプラットフォーム内のタッチスクリーンシステムに関する加速度が生じ得る、他の適切なタイプのプラットフォームであってよい。
【０１０４】
種々の例示的な実施形態の説明が、例示及び説明の目的で提示されてきており、かつそれは開示された形の中の実施形態に対して包括的又は限定的であることを意図していない。当業者にとって、多くの修正及び変形が自明のものであろう。さらに、異なる例示的な実施形態は、他の例示的な実施形態とは異なる特徴を提供することができる。実施形態又は選択された複数の実施形態は、実施形態の原理、実際の用途を最もよく説明するため、及び他の当業者に対し、様々な実施形態の開示内容と、考慮される特定の用途に適した様々な修正との理解を促すために選ばれ、かつ記述されている。
【図１】
2018060553.tif 000003
【図２】
2018060553.tif 000004
【図３】
2018060553.tif 000005
【図４】
2018060553.tif 000006
【図５】
2018060553.tif 000007
【図６】
2018060553.tif 000008
【図７】
2018060553.tif 000009
【図８】
2018060553.tif 000010
【手続補正書】
【提出日】平成29年12月6日(2017.12.6)
【手続補正１】
【補正対象書類名】明細書
【補正対象項目名】０１０４
【補正方法】変更
【補正の内容】
【０１０４】
種々の例示的な実施形態の説明が、例示及び説明の目的で提示されてきており、かつそれは開示された形の中の実施形態に対して包括的又は限定的であることを意図していない。当業者にとって、多くの修正及び変形が自明のものであろう。さらに、異なる例示的な実施形態は、他の例示的な実施形態とは異なる特徴を提供することができる。実施形態又は選択された複数の実施形態は、実施形態の原理、実際の用途を最もよく説明するため、及び他の当業者に対し、様々な実施形態の開示内容と、考慮される特定の用途に適した様々な修正との理解を促すために選ばれ、かつ記述されている。
また、本発明は以下に記載する態様を含む。
（態様１）
タッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）の使い勝手（２１８）を低減させる場合、動作（２２４）を開始するように構成される入力マネージャー（２２２）を備える、装置。
（態様２）
前記加速度検出器（２１９）は、前記タッチスクリーンシステム（２１４）の前記加速度（２１７）についてのデータ（２２０）を発生させるように構成され、かつ前記入力マネージャー（２２２）は、前記加速度検出器（２１９）からデータ（２２０）を受信して、かつ前記データ（２２０）を使用して、何時、前記タッチスクリーンシステム（２１４）の前記加速度（２１７）が前記タッチスクリーンシステム（２１４）の前記使い勝手（２１８）を低減させるかを判定するように構成される、態様１に記載の装置。
（態様３）
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、態様１に記載の装置。
（態様４）
前記選択された閾値（２３０）は、前記タッチスクリーンシステム（２１４）上に表示される、グラフィカルユーザインターフェース（３１６）に基づく、態様３に記載の装置。
（態様５）
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、態様１に記載の装置。
（態様６）
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、態様１に記載の装置。
（態様７）
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の任意の数の制御装置（３１８）のサイズを元々のサイズまで戻すことのうちの少なくとも１つから選択される、態様６に記載の装置。
（態様８）
前記入力マネージャー（２２２）は、前記タッチスクリーンシステム（２１４）の低減された使い勝手のレベルを判定し、かつ前記タッチスクリーンシステム（２１４）の低減された使い勝手の前記レベルに基づいて、前記動作（２２４）を開始するように構成される、態様１に記載の装置。
（態様９）
前記加速度（２１７）は、振動、乱流、波、風、及びプラットフォームの作動のうちの少なくとも１つによってもたらされる、態様１に記載の装置。
（態様１０）
前記タッチスクリーンシステム（２１４）は、タブレットコンピュータ、飛行管理システム、ナビゲーションコンピュータ、オートパイロット、携帯電話、ラップトップコンピュータ、及び持ち運び可能な表示装置のうちの１つから選択される、態様１に記載の装置。
（態様１１）
タッチスクリーンシステム（２１４）を管理するための方法であって、前記方法は：
前記タッチスクリーンシステム（２１４）の加速度（２１７）について加速度検出器（２１９）によって発生されたデータ（２２０）を受信させることであって、前記加速度検出器（２１９）は前記タッチスクリーンシステム（２１４）の範囲内に配置される、受信させること；及び
前記タッチスクリーンシステム（２１４）の前記加速度（２１７）が前記タッチスクリーンシステム（２１４）の使い勝手（２１８）を低減させる場合、入力マネージャー（２２２）によって、動作（２２４）を開始させることを含む、方法。
（態様１２）
何時、前記タッチスクリーンシステム（２１４）の前記加速度（２１７）が、前記タッチスクリーンシステム（２１４）の前記使い勝手（２１８）を低減させるかを、前記データ（２２０）を使用して、前記入力マネージャー（２２２）によって、判定させることをさらに含む、態様１１に記載の方法。
（態様１３）
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、態様１１に記載の方法。
（態様１４）
前記選択された閾値（２３０）は、前記タッチスクリーンシステム（２１４）上に表示される、グラフィカルユーザインターフェース（３１６）に基づく、態様１３に記載の方法。
（態様１５）
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、態様１１に記載の方法。
（態様１６）
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、態様１１に記載の方法。
（態様１７）
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の制御装置のサイズを元々のサイズまで戻すことのうちの少なくとも１つから選択される、態様１６に記載の方法。
（態様１８）
前記加速度検出器（２１９）は、加速度計システムである、態様１１に記載の方法。
（態様１９）
前記加速度（２１７）は、ビークルの作動、波を伴う水の中で移動する船舶、風を伴う水の中で移動する船舶、乱流の中の航空機（１００）、粗い表面上で移動する地上のビークルの作動、宇宙船上のスラスターの作動、航空機の着陸（１００）、航空機（１００）の離陸によってもたらされる振動である、態様１１に記載の方法。
（態様２０）
航空機（１００）内のネットワーク（２０８）；
前記航空機（１００）内のデータ処理システム（２０６）であって、前記データ処理システム（２０６）は前記ネットワーク（２０８）に接続され、かつ前記航空機（１００）の作動を制御するように構成される、データ処理システム（２０６）；
前記航空機（１００）の前記作動を制御するために、前記データ処理システム（２０６）に対するユーザ入力（３１０）を受信するように構成される、任意の数の制御装置（３１８）を有するグラフィカルユーザインターフェース（３１６）を表示するように構成されるタッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）上の前記グラフィカルユーザインターフェース（３１６）の中で表示される前記任意の数の制御装置（３１８）の使い勝手（２１８）を低減させる場合、動作（２２４）を開始するように構成される入力マネージャー（２２２）を備える、航空機制御システム。
【手続補正２】
【補正対象書類名】特許請求の範囲
【補正対象項目名】全文
【補正方法】変更
【補正の内容】
【特許請求の範囲】
【請求項１】
タッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）の使い勝手（２１８）を低減させる場合、動作（２２４）を開始するように構成される入力マネージャー（２２２）を備える、装置。
【請求項２】
前記加速度検出器（２１９）は、前記タッチスクリーンシステム（２１４）の前記加速度（２１７）についてのデータ（２２０）を発生させるように構成され、かつ前記入力マネージャー（２２２）は、前記加速度検出器（２１９）からデータ（２２０）を受信して、かつ前記データ（２２０）を使用して、何時、前記タッチスクリーンシステム（２１４）の前記加速度（２１７）が前記タッチスクリーンシステム（２１４）の前記使い勝手（２１８）を低減させるかを判定するように構成される、請求項１に記載の装置。
【請求項３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１に記載の装置。
【請求項４】
前記選択された閾値（２３０）は、前記タッチスクリーンシステム（２１４）上に表示される、グラフィカルユーザインターフェース（３１６）に基づく、請求項３に記載の装置。
【請求項５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１に記載の装置。
【請求項６】
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、請求項１に記載の装置。
【請求項７】
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の任意の数の制御装置（３１８）のサイズを元々のサイズまで戻すことのうちの少なくとも１つから選択される、請求項６に記載の装置。
【請求項８】
前記入力マネージャー（２２２）は、前記タッチスクリーンシステム（２１４）の低減された使い勝手のレベルを判定し、かつ前記タッチスクリーンシステム（２１４）の低減された使い勝手の前記レベルに基づいて、前記動作（２２４）を開始するように構成される、請求項１に記載の装置。
【請求項９】
前記加速度（２１７）は、振動、乱流、波、風、及びプラットフォームの作動のうちの少なくとも１つによってもたらされる、請求項１に記載の装置。
【請求項１０】
前記タッチスクリーンシステム（２１４）は、タブレットコンピュータ、飛行管理システム、ナビゲーションコンピュータ、オートパイロット、携帯電話、ラップトップコンピュータ、及び持ち運び可能な表示装置のうちの１つから選択される、請求項１に記載の装置。
【請求項１１】
タッチスクリーンシステム（２１４）を管理するための方法であって、前記方法は：
前記タッチスクリーンシステム（２１４）の加速度（２１７）について加速度検出器（２１９）によって発生されたデータ（２２０）を受信させることであって、前記加速度検出器（２１９）は前記タッチスクリーンシステム（２１４）の範囲内に配置される、受信させること；及び
前記タッチスクリーンシステム（２１４）の前記加速度（２１７）が前記タッチスクリーンシステム（２１４）の使い勝手（２１８）を低減させる場合、入力マネージャー（２２２）によって、動作（２２４）を開始させることを含む、方法。
【請求項１２】
何時、前記タッチスクリーンシステム（２１４）の前記加速度（２１７）が、前記タッチスクリーンシステム（２１４）の前記使い勝手（２１８）を低減させるかを、前記データ（２２０）を使用して、前記入力マネージャー（２２２）によって、判定させることをさらに含む、請求項１１に記載の方法。
【請求項１３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１１に記載の方法。
【請求項１４】
前記選択された閾値（２３０）は、前記タッチスクリーンシステム（２１４）上に表示される、グラフィカルユーザインターフェース（３１６）に基づく、請求項１３に記載の方法。
【請求項１５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１１に記載の方法。
【外国語明細書】
2018060553000001.pdf